(57)【要約】  本発明は、収納式ディスプレイ装置に関し、ディスプレイパネル支持機構に第１の回転パネルが回転軸を中心に回転可能に補強設置され、この第１の回転パネルにディスプレイパネルが固定され、第１の回転パネルを回転軸を中心に約９０゜回転させると、ディスプレイパネルの縦の長さが横の長さに、ディスプレイパネルの横の長さが縦の長さに切り換わる構造を有しているので、収納ハウジングの横の長さに相応するディスプレイパネルより規格の大きい大型のディスプレイパネルを収納ハウジングに保管して利用することが可能となる。
2008522897.tif 000002
【特許請求の範囲】
【請求項１】
収納空間を有する収納ハウジングと、収納ハウジングの収納空間に挿脱可能に設置されるディスプレイパネル支持機構、及び、ディスプレイパネル支持機構に設置されるディスプレイパネルを備える収納式ディスプレイ装置において、
前記ディスプレイパネル支持機構に第１の回転パネルが回転軸を中心に回転可能に補強設置され、この第１の回転パネルにディスプレイパネルが固定されることを特徴とする収納式ディスプレイ装置。
【請求項２】
前記ディスプレイパネル支持機構は、収納ハウジングの収納空間に沿って前後方に直線往復移動するスライドパネルと、スライドパネルの外側先端に回転軸ｈ１を中心に回転可能に固定される支持パネルとからなり、支持パネルは、折り畳まれてスライドパネルに重なり合った状態で収納ハウジングの収納空間に挿入して保管し、支持パネルが収納ハウジングの収納空間から折り畳まれた状態で前方に出て展開して立てられることを特徴とする請求項１に記載の収納式ディスプレイ装置。
【請求項３】
前記スライドパネルを前後方に直線往復移動するスライドパネル駆動装置と、支持パネルを両方向に回動する支持パネル回動装置が補強設置されることを特徴とする請求項２に記載の収納式ディスプレイ装置。
【請求項４】
前記スライドパネルの前面部に第２の回転パネルが回転軸を中心に両方向に回転可能に補強設置され、この第２の回転パネル７００に支持パネル２２０が回転軸ｈ１を中心に回転可能に固定されることを特徴とする請求項２に記載の収納式ディスプレイ装置。
【請求項５】
前記第２の回転パネルを回転軸を中心に両方向に回動する第２の回転パネル駆動装置が補強設置されることを特徴とする請求項４に記載の収納式ディスプレイ装置。
【請求項６】
前記第１の回転パネルを回転軸を中心に両方向に回動する第１の回転パネル駆動装置が補強設置されることを特徴とする請求項１乃至請求項５のいずれか一項に記載の収納式ディスプレイ装置。
【発明の詳細な説明】
【技術分野】
【０００１】
本発明は、収納式ディスプレイ装置に関し、収納ハウジングの横の長さの範囲内で、より大きい規格のディスプレイパネルを取り付けることができるようにした収納式ディスプレイ装置に関するものである。
【背景技術】
【０００２】
周知のように、収納式ディスプレイ装置は、空間を効率的に活用することができ、且つディスプレイパネルを収納ハウジングの内部に安全に保管することができるという長所があり、車両のカーオーディオ及びビデオ装置や、ナビゲーションシステム、またはカーテレビ装置などに主に適用されている。
【０００３】
手動駆動の従来の収納式ディスプレイ装置は、図１及び図２に示されているように、収納空間１００ａを有する収納ハウジング１００と、収納ハウジング１００の収納空間１００ａに挿脱可能に設置されるディスプレイパネル支持機構２００、及び、ディスプレイパネル支持機構２００に設置されるディスプレイパネル３００からなる構造を有する。
【０００４】
前記ディスプレイパネル支持機構２００は、通常、図１及び図２に示されているように、収納ハウジング１００の収納空間１００ａに沿って前後方に直線往復移動するスライドパネル２１０と、スライドパネル２１０の外側先端に回転軸ｈ１を中心に回転可能に固定される支持パネル２２０とからなる。このような場合、前記ディスプレイパネル３００は、支持パネル２２０に設置される。
【０００５】
次に、このような従来の収納式ディスプレイ装置の動作について説明する。
【０００６】
図１に示されているように、ディスプレイパネル３００を収納ハウジング１００内部に挿入して保管した状態で、収納ハウジング１００外部に露出している支持パネル２２０の先端部分を前方に引くと、収納ハウジング１００とディスプレイパネル支持機構２００との噛み合い結合が解体されながら、スライドパネル２１０と支持パネル２２０が外部に引き出され、その後、支持パネル２２０を上方向に持ち上げると、支持パネル２２０が回転軸ｈ１を中心に回転して立てられるので、支持パネル２２０に設置されたディスプレイパネル３００が図２に示すように前方に露出する。
【０００７】
このように外部に露出しているディスプレイパネル３００を収納ハウジング１００の内部に挿入して保管しようとする場合には、前記動作の逆順にディスプレイパネル３００を収納ハウジング１００の収納空間１００ａに挿入して保管することができる。
【０００８】
ここで、前記収納ハウジング１００とディスプレイパネル支持機構２００との間の噛み合い結合構造は、既に広く知られているか、公然実施されているので、これに関する説明は省略する。
【０００９】
半自動駆動の従来の収納式ディスプレイ装置は、図３及び図４に示されているように、スライドパネル２１０を一方向に弾性支持する第１の弾性支持部材１０と、支持パネル２２０を一方向に回動可能に弾性支持する第２の弾性支持部材２０とが補強されることを特徴とする。前記第１の弾性支持部材１０としてはコイルスプリングを、前記第２の弾性支持部材２としてはトーションスプリングを通常使用する。
【００１０】
次に、このような従来の収納式ディスプレイ装置の動作について説明する。
【００１１】
図３に示されているように、ディスプレイパネル３００を収納ハウジング１００の内部に挿入して保管した状態で、収納ハウジング１００の外部に露出している支持パネル２２０の先端部分を後方に軽く押すと、収納ハウジング１００とディスプレイパネル支持機構２００との噛み合い結合が解体されながら、スライドパネル２１０と支持パネル２２０が第１の弾性支持部材１０により自動的に前方に引き出され、その後、支持パネル２２０が第２の弾性支持部材２０により回転軸ｈ１を中心に上方向に持ち上げられ、支持パネル２２０に設置されたディスプレイパネル３００が図４に示すように前方に露出する。
【００１２】
このように、外部に露出しているディスプレイパネル３００を収納ハウジング１００の内部に挿入して保管しようとする場合には、前記支持パネル２２０を回転軸ｈ１を中心に逆方向に回転させて下方向に押した状態を維持しながら、スライドパネル２１０と支持パネル２２０を後方に押して収納ハウジング１００の内部に入れると、ディスプレイパネル支持機構２００が収納ハウジング１００に噛み合って固定される。
【００１３】
ここで、本実施形態による収納ハウジング１００とディスプレイパネル支持機構２００の間の噛み合い結合構造も既に広く知られているか、公然実施されているので、これに関する説明は省略する。
【００１４】
前記図３及び図４に示されているような半自動駆動の従来の収納式ディスプレイ装置の場合には、支持パネル２２０が第２の弾性支持部材２０により一方向に回動可能に弾性支持される構造を有しており、ディスプレイパネル３００の使用及び保管時に収納ハウジング１００と支持パネル２２０との間の摩擦干渉が大きく発生し、ディスプレイパネル８００を収納ハウジング１００の収納空間１００ａに入れる際に、支持パネル２２０を下方向に押した状態を維持しなければならないという不便がある。
【００１５】
これを解消するために、図５及び図６に示されているような半自動駆動の従来の収納式ディスプレイ装置が提案された。
【００１６】
本実施形態の場合、一方の先端が回転軸ｈ２を中心にスライドパネル２１０に回転可能に固定される支持バー３１と、支持バー３１の自由端に回転可能に固定されて支持パネル２２０のガイド溝２２１に移動可能に挿入される移動ピン３２、及び、両方先端が回転軸ｈ１と移動ピン３２にそれぞれ固定され、回転軸ｈ１と移動ピン３２を互いに向かい合う方向に弾性支持するコイルスプリング３３からなる第３の弾性支持部材３０を備えることを特徴とする。
【００１７】
次に、このような従来の収納式ディスプレイ装置の動作について説明する。
【００１８】
図５に示されているように、ディスプレイパネル３００を収納ハウジング１００の内部に挿入して保管した状態で、収納ハウジング１００の外部に露出している支持パネル２２０の先端部分を後方に軽く押すと、収納ハウジング１００とディスプレイパネル支持機構２００との噛み合い結合が解体されながら、スライドパネル２１０と支持パネル２２０が第１の弾性支持部材１０により自動的に前方に引き出され、その後、支持パネル２２０を上方向に持ち上げると、支持パネル２２０が回転軸ｈ１を中心に回転して第３の弾性支持部材３０により安定的に立てられた状態を維持するようになり、支持パネル２２０に設置されられたディスプレイパネル３００が図６に示すように前方に露出する。
【００１９】
このように、外部に露出しているディスプレイパネル３００を収納ハウジング１００の内部に挿入して保管しようとする場合には、前記支持パネル２２０を回転軸ｈ１を中心に逆方向に回転させて下方向に押した後、スライドパネル２１０と支持パネル２２０を後方に押して収納ハウジング１００の内部に入れれば良い。この時、支持パネル２２０は、第３の弾性支持部材３０により下方向に押されて展開した状態を維持するようになる。
【００２０】
自動駆動の従来の収納式ディスプレイ装置は、図７及び図８に示されているように、スライドパネル２１０を前後方に直線往復移動するスライドパネル駆動装置４１０と、支持パネル２２０を両方向に回動する支持パネル回動装置４２０とが補強されることを特徴とする。
【００２１】
前記スライドパネル駆動装置４１０としては、駆動ギア４１０とラック４１２を備える公知の電動モーター式駆動装置を、前記支持パネル回動装置４２０としては、駆動ギア４２１と従動ギア４２２を備える公知の電動モーター式駆動装置を通常使用する。ここで、説明されていない符号４１３と４２３は、駆動ギア（４１１、４２１）と従動ギア（４１２、４２２）と噛み合って駆動ギア（４１１、４２１）からの動力を従動ギア（４１２、４２２）に伝達する動力伝達ギアを示す。
【００２２】
本実施形態において、図７及び図８に示されているように、スライドパネル２１０の前後方への移動と、回転軸ｈ１を中心に支持パネル２２０の展開及び折り畳み動作がスライドパネル駆動装置４１０と支持パネル回動装置４２０により自動的に行われるので、使用の便宜性が大きく増進される。
【００２３】
図９及び図１０は、自動駆動の従来の収納式ディスプレイ装置の他の一例を示す。図示するように、後面部に円柱形態の湾曲部２３０ａが形成され、少なくともいずれか一側面にガイド溝２３１が形成されたラックパネル２３０がディスプレイパネル支持機構２００に適用される一方、収納ハウジング１００の収納空間１００ａの側面にラックパネル２３０のガイド溝２３１に挿入されるガイド突起１１０を備え、ラックパネル２３０を前後方に往復移動するラックパネル駆動装置４３０を備えることを特徴とする。
【００２４】
本実施形態によれば、構成要素が大幅減少することによって構造が単純化し、製造費用を大きく節減できる利点がある。
【００２５】
従来の収納式ディスプレイ装置において、上述の実施形態の他にも様々な形態が既に公知であるか、公然実施されている。
【００２６】
しかし、このような従来の収納式ディスプレイ装置は、図１１に示されているように、ディスプレイパネル３００がディスプレイパネル支持機構２００に堅固に固定される構造を有しており、ディスプレイパネル３００の規格が制限されるという問題がある。これについてより詳しく説明する。
【００２７】
数字や問題等、簡単な情報を画像出力するディスプレイパネルの場合には、その用途に応じて横の長さ（ＷＬ）や縦の長さ（ＬＬ）を自由に適用することができるが、ＴＶモニタ等のように、イメージや動画を画像出力するディスプレイの場合は、横の長さ（ＷＬ）と縦の長さ（ＬＬ）の割合が国際規格化されている（横の長さ（ＷＬ）が縦の長さ（ＬＬ）より大きい）。
【００２８】
従来の収納式ディスプレイ装置の場合には、ディスプレイパネル３００がディスプレイパネル支持機構２００に堅固に固定される構造であるので、より大きい規格のディスプレイパネル３００を設置するためには、必然的にディスプレイパネル３００は、収納される収納ハウジング１００の横の長さがディスプレイパネル３００の横の長さ（ＷＬ）に応じて拡大する。
【００２９】
しかし、車両の収納式ディスプレイ装置の取り付け位置が、収納ハウジング１００の横の長さを拡大し難い位置である場合（例えば、車両のダッシュボード）には、結局、ディスプレイパネル３００の規格が収納ハウジング１００の横の長さに応じて制限されてしまう。
【００３０】
従って、従来の収納式ディスプレイ装置の場合、より大きい画面表示を望む使用者の要求を満たすことができなかった。
【発明の開示】
【発明が解決しようとする課題】
【００３１】
そこで、本発明は、上記従来の問題点に鑑みてなされたものであって、本発明の目的は、収納ハウジングの横の長さを無理に拡大しなくても、効率的に大型のディスプレイパネルを取り付けることができるようにした収納式ディスプレイ装置を提供することである。
【課題を解決するための手段】
【００３２】
上記目的を達成するためになされた本発明は、収納空間を有する収納ハウジングと、収納ハウジングの収納空間に挿脱可能に設置されるディスプレイパネル支持機構、及び、ディスプレイパネル支持機構に設置されるディスプレイパネルを備える収納式ディスプレイ装置において、前記ディスプレイパネル支持機構に第１の回転パネルが回転軸を中心に回転可能に補強設置され、この第１の回転パネルにディスプレイパネルが固定されることを特徴とする構造を有する。
【発明を実施するための最良の形態】
【００３３】
以下、添付した図面を参照して本発明の好ましい実施例を詳細に説明する。
【００３４】
本発明による収納式ディスプレイ装置は、収納空間１００ａを有する収納ハウジング１００と、収納ハウジング１００の収納空間１００ａに挿脱可能に設置されるディスプレイパネル支持機構２００、及び、ディスプレイパネル支持機構２００に設置されるディスプレイパネル３００を備えているが、このような構成要素は、上記の従来の収納式ディスプレイ装置の構成要素と技術的に同一範疇に属するので、これに関する説明は省略する。
【００３５】
本発明において、図１２に示されているように、前記ディスプレイパネル支持機構２００に第１の回転パネル５００が回転軸ｈ３を中心に回転可能に補強設置され、この第１の回転パネル５００にディスプレイパネル３００が固定されることを特徴とする。
【００３６】
本発明によれば、ディスプレイパネル３００が第１の回転パネル５００に固定されて回転軸ｈ３を中心に両方向（時計方向と反時計方向）に回転する構造を有しており、図１３に示されているように、ディスプレイパネル３００が収納ハウジング１００の収納空間１００ａから前方に露出した後、図１４に示されているように、第１の回転パネル５００を回転軸ｈ３を中心に約９０度回転させると、ディスプレイパネル３００の縦の長さ（Ｌ１）が横の長さに、ディスプレイパネル３００の横の長さ（Ｌ２）が縦の長さに切り換わる。
【００３７】
従って、前記収納ハウジング１００の横の長さに相応するディスプレイパネルより規格の大きい大型ディスプレイパネル３００を収納ハウジング１００に保管することが可能となる。
【００３８】
前記第１の回転パネル５００の最大回転角度は、必要に応じて任意に限定することができる。好ましくは、ディスプレイパネル３００が９０度回転した状態で、任意の場所に位置している視聴者がディスプレイパネル３００を所定の範囲内で視聴できるように時計方向または反時計方向に自由に回転角度を調節できるようにする。
【００３９】
前記ディスプレイパネル支持機構２００に回転可能に設置される第１の回転パネル５００は、回転していない状態や、任意の角度に回転した状態で位置固定されなければならないが、このようなディスプレイパネル支持機構２００と第１の回転パネル５００との間の相互連結構造は、既に様々な分野で多様な方式で広く公知されたり、公然実施されているので、これに関する説明は省略する。
【００４０】
前記第１の回転パネル５００は、使用者が手操作で直接外力を加えて回転させることもできるが、図１２に示されているように、回転軸ｈ３を中心に第１の回転パネル５００を両方向（時計方向と反時計方向）に回動する第１の回転パネル駆動装置６００を補強設置し、第１の回転パネル５００が第１の回転パネル駆動装置６００により自動的に両方向に回動するようにすることができる。
【００４１】
本実施形態において、前記第１の回転パネル駆動装置６００としては、ベベルギア方式の駆動ギア６０１と、ベベルギア方式の従動ギア６０２を備えた公知の電動モーター式駆動装置を適用した。
【００４２】
図１５乃至図１８は、本発明による収納式ディスプレイ装置の第１実施形態を示す。
【００４３】
図示するように、前記ディスプレイパネル支持機構２００は、収納ハウジング１００の収納空間１００ａに沿って前後方に直線往復移動するスライドパネル２１０と、スライドパネル２１０の外側先端に回転軸ｈ１を中心に回転可能に固定される支持パネル２２０とからなる。
【００４４】
前記スライドパネル２１０の前後方への移動と、回転軸ｈ１を中心にした支持パネル２２０の回動は、使用者が手操作で直接制御することもできるが、本実施形態の場合は、図１５乃至図１６に示されているように、スライドパネル２１０がスライドパネル駆動装置４１０により自動駆動され、支持パネル２２０が支持パネル回動装置４２０により回転軸ｈ１を中心に両方向に回動するようにした。ここで、前記支持パネル２２０が折り畳まれてスライドパネル２１０に重なり合った状態で収納ハウジング１００の収納空間１００ａに挿入して保管され、支持パネル２２０が収納ハウジング１００の収納空間１００ａから折り畳まれた状態で前方に出て展開して立てられる構造を有する。
【００４５】
次に、本実施形態による収納式ディスプレイ装置の動作状態を説明する。
【００４６】
図１５に示したような状態で、図１６に示されているように、スライドパネル２１０がスライドパネル駆動装置４１０により前方に移動する。その後、図１７に示されているように、支持パネル２２０が支持パネル回動装置４２０により回転軸ｈ１を中心に回転して所定角度に立てられた後、支持パネル２２０が収納ハウジング１００から適正間隔を持つようにスライドパネル２１０がスライドパネル駆動装置４１０により後方に移動して図１８のような状態となる。
【００４７】
本実施形態によれば、従来技術を示した図１乃至図８に示されているように、支持パネル２２０がスライドパネル２１０と同一線上に展開された状態で収納ハウジング１００の収納空間１００ａに挿入して保管され、支持パネル２２０が収納ハウジング１００の収納空間１００ａから展開された状態で前方に出て折り畳まれて立てられる方式に比べて、ディスプレイパネル３００の垂直の長さ（Ｌ１）を効果的に延長できるという効果がある。
【００４８】
図１９は、本発明による収納式ディスプレイ装置の第２実施形態を示す。
【００４９】
図示するように、スライドパネル２１０の前面部に第２の回転パネル７００が回転軸ｈ４を中心に両方向に回転可能に補強設置され、この第２の回転パネル７００に支持パネル２２０が回転軸ｈ１を中心に回転可能に固定されることを特徴とする。前記第２の回転パネル７００は、使用者が手操作で直接外力を加えて回転させることもできるが、本実施形態では、図２０に示されているように、回転軸ｈ４を中心に第２の回転パネル７００を両方向（左側と右側方向）に回動する第２の回転パネル駆動装置８００を補強設置し、第２の回転パネル７００が第２の回転パネル駆動装置８００により自動的に両方向に回動するようにした。前記第２の回転パネル駆動装置８００としては、ベベルギア方式の駆動ギア８０１と、ベベルギア方式の従動ギア８０２を有する公知の電動モーター式駆動装置を適用した。
【００５０】
本実施形態によれば、任意の場所に位置している視聴者が、図２１に示されているように、ディスプレイパネル３００を視聴するために左側または右側方向に回転させることができるので、視聴位置に関係なく、申し分なくディスプレイパネル３００を見ることが可能となる。
【００５１】
尚、本発明は、上述の実施例に限られるものではない。本発明の技術的範囲から逸脱しない範囲内で多様に変更実施することが可能である。
【産業上の利用可能性】
【００５２】
本発明によれば、ディスプレイパネル支持機構２００に第１の回転パネル５００が回転軸ｈ３を中心に回転可能に補強設置され、この第１の回転パネル５００にディスプレイパネル３００が固定され、第１の回転パネル５００を回転軸ｈ３を中心に約９０度回転させると、ディスプレイパネル３００の縦の長さ（Ｌ１）が横の長さに、ディスプレイパネル３００の横の長さ（Ｌ２）が縦の長さに切り換わる構造を有しているので、収納ハウジング１００の横の長さに相応するディスプレイパネルより規格の大きい大型のディスプレイパネル３００を収納ハウジング１００に保管して利用することが可能となる。
【００５３】
従って、収納ハウジングの横の長さを無理に拡大しなくても、効率的に大型のディスプレイパネルを取り付けることができ、商品性が大きく向上される効果がある。
【図面の簡単な説明】
【００５４】
【図１】手動駆動の従来の収納式ディスプレイ装置の一例を示した図であり、要部を示した左側部分断面図。
【図２】手動駆動の従来の収納式ディスプレイ装置の一例を示した図であり、要部を示した左側部分断面図。
【図３】半自動駆動の従来の収納式ディスプレイ装置の一例を示した図であり、要部を示した左側部分断面図。
【図４】半自動駆動の従来の収納式ディスプレイ装置の一例を示した図であり、要部を示した左側部分断面図。
【図５】半自動駆動の従来の収納式ディスプレイ装置の他の一例を示した図であり、要部を示した左側部分断面図。
【図６】半自動駆動の従来の収納式ディスプレイ装置の他の一例を示した図であり、要部を示した左側部分断面図。
【図７】自動駆動の従来の収納式ディスプレイ装置の一例を示した図であり、要部を示した左側部分断面図。
【図８】自動駆動の従来の収納式ディスプレイ装置の一例を示した図であり、要部を示した左側部分断面図。
【図９】自動駆動の従来の収納式ディスプレイ装置の他の一例を示した図であり、要部を示した左側部分断面図。
【図１０】自動駆動の従来の収納式ディスプレイ装置の他の一例を示した図であり、要部を示した左側部分断面図。
【図１１】従来技術による収納式ディスプレイ装置を示した斜視図であり、ディスプレイパネルが外部に露出した状態を示した図。
【図１２】本発明による収納式ディスプレイ装置を示した図であり、要部を拡大した左側部分断面図。
【図１３】本発明による収納式ディスプレイ装置の動作状態を説明するための図であり、ディスプレイパネルが外部に露出した状態の正面図。
【図１４】本発明による収納式ディスプレイ装置の動作状態を説明するための図であり、ディスプレイパネルが外部に露出した状態の正面図。
【図１５】本発明による収納式ディスプレイ装置の第１実施形態を示した図であり、要部を示した左側部分断面図。
【図１６】本発明による収納式ディスプレイ装置の第１実施形態を示した図であり、要部を示した左側部分断面図。
【図１７】本発明による収納式ディスプレイ装置の第１実施形態を示した図であり、要部を示した左側部分断面図。
【図１８】本発明による収納式ディスプレイ装置の第１実施形態を示した図であり、要部を示した左側部分断面図。
【図１９】本発明による収納式ディスプレイ装置の第２実施形態を示した図であり、図１８の対応図。
【図２０】図１９に示された収納式ディスプレイ装置の要部を拡大した部分断面図。
【図２１】図１９に示された収納式ディスプレイ装置の動作状態を説明するための図であり、ディスプレイパネルが外部に露出した状態の平面図。
【図１】
2008522897.tif 000003
【図２】
2008522897.tif 000004
【図３】
2008522897.tif 000005
【図４】
2008522897.tif 000006
【図５】
2008522897.tif 000007
【図６】
2008522897.tif 000008
【図７】
2008522897.tif 000009
【図８】
2008522897.tif 000010
【図９】
2008522897.tif 000011
【図１０】
2008522897.tif 000012
【図１１】
2008522897.tif 000013
【図１２】
2008522897.tif 000014
【図１３】
2008522897.tif 000015
【図１４】
2008522897.tif 000016
【図１５】
2008522897.tif 000017
【図１６】
2008522897.tif 000018
【図１７】
2008522897.tif 000019
【図１８】
2008522897.tif 000020
【図１９】
2008522897.tif 000021
【図２０】
2008522897.tif 000022
【図２１】
2008522897.tif 000023
【国際調査報告】
2008522897.tif 000024
2008522897.tif 000025